(57)【特許請求の範囲】
【請求項１】
建物の開口に設けられシャッター板の両側端部を昇降可能に支持するガイドレールを縦枠に有するシャッター枠と、このシャッター枠の上部に設けられシャッター板を巻取り収納するシャッターボックスとを備え、前記ガイドレールは室外側に位置する外面部と室内に位置する内面部と、これら外面部と内面部を連結する端面部および内部の連結部とを備え、端面部の反対側でガイド溝として開口しており、前記縦枠は外面部と内面部と室外端にガイドレール取付壁部とガイドレール取付壁部より室外側に突出する互いに平行な外側リブと内側リブを備え、ガイドレールの内面部とシャッター枠のガイドレール取付壁部が前記外側リブと内側リブで着脱可能に取付けられ、前記ガイドレールには前記シャッター枠に対する取付強度を補強する補強部材が設けられ、この補強部材は直交する第１壁部と第２壁部とを有し、第１壁部をガイドレールの端面部の外面から縦枠の外側リブの外面にかけてあてがうと共に、第２壁部をガイドレールの外面部にあてがい、第１壁部はガイドレールの端面部に又は第２壁部はガイドレールの外面部に、固着具で固定したことを特徴とするシャッター。
【発明の詳細な説明】
【０００１】
【発明の属する技術分野】
本発明は、シャッターに係り、特に耐風強度を高めたシャッターに関する。
【０００２】
【従来の技術】
建物の窓や出入口等の開口に設けられるシャッターは、建物の開口に設けられシャッター板の両側端部を昇降可能に支持するガイドレールを有するシャッター枠と、このシャッター枠の上部に設けられシャッター板を巻取り収納するシャッターボックスとを備えている。また、シャッターとしては、ガイドレールとシャッター板の側端部に、シャッター板がガイドレールから抜けるのを防止するための抜け止め手段を設けて耐風強度の向上を図ったものがある。
【０００３】
【発明が解決しようとする課題】
ところで、この種のシャッターには、ガイドレールをシャッター枠と一体に形成したもの（前者）と、ガイドレールをシャッター枠と別体に形成してシャッター枠に着脱可能に取付けたタイプのもの（後者）とがある。後者のものは、ガイドレールにシャッター板の両側端部を挿入係合させてから、ガイドレールをシャッター枠にネジ止め等により取付けることができるので、前者のものよりも取付けやメンテナンスがし易い利点がある。
【０００４】
しかしながら、後者のシャッターにおいては、台風等の強い風圧がシャッター板に作用した場合には、シャッター板の抜け止め手段を介してガイドレールに過大な外力が作用するため、ガイドレールがシャッター枠から外れたり、壊れてしまう恐れがあった。
【０００５】
本発明は、前記事情を考慮してなされてもので、シャッター枠に対するガイドレールの取付強度を簡単な構造で向上させることができ、耐風強度の向上が図れるシャッターを提供することにある。
【０００６】
【課題を解決するための手段】
前記目的を達成するために本発明のシャッターは、建物の開口に設けられシャッター板の両側端部を昇降可能に支持するガイドレールを縦枠に有するシャッター枠と、このシャッター枠の上部に設けられシャッター板を巻取り収納するシャッターボックスとを備え、前記ガイドレールは室外側に位置する外面部と室内に位置する内面部と、これら外面部と内面部を連結する端面部および内部の連結部とを備え、端面部の反対側でガイド溝として開口しており、前記縦枠は外面部と内面部と室外端にガイドレール取付壁部とガイドレール取付壁部より室外側に突出する互いに平行な外側リブと内側リブを備え、ガイドレールの内面部とシャッター枠のガイドレール取付壁部が前記外側リブと内側リブで着脱可能に取付けられ、前記ガイドレールには前記シャッター枠に対する取付強度を補強する補強部材が設けられ、この補強部材は直交する第１壁部と第２壁部とを有し、第１壁部をガイドレールの端面部の外面から縦枠の外側リブの外面にかけてあてがうと共に、第２壁部をガイドレールの外面部にあてがい、第１壁部はガイドレールの端面部に又は第２壁部はガイドレールの外面部に、固着具で固定したことを特徴とする。
【０００７】
【実施の形態】
以下に、本発明の実施の形態を添付図面に基づいて詳述する。まず、第１の実施の形態を説明する。図１はシャッターの概略構成を示す斜視図、図２はシャッター枠の分解斜視図である。
【０００８】
図１に示すように、このシャッター１０は、水平に細長いスラット１１をよろい状に縦方向につないでなるシャッター板１２と、建物の開口に設けられシャッター板１２の両側端部を昇降可能に支持するガイドレール２０を有するシャッター枠１４と、このシャッター枠１４の上部に設けられシャッター板１２を巻取り収納するシャッターボックス１３とから主に構成されている。
【０００９】
シャッター板１２を構成するスラット１１は、大半が鋼板の曲げ加工品よりなるものの、シャッター板１２を閉じたときに高さ方向の中間領域に位置する何枚かは、アルミニウム形材（押し出し成形品）の高強度スラット１１Ａとされている。また、シャッター板１２の先端部（下端部）には、このシャッター板１２を先導するエンドスラット１１Ｂが設けられている。前記シャッターボックス１３は、横長の箱状に形成されており、その内部にはシャッター板１２を巻取るための巻取ドラム（図示されず）が設けられている。シャッターボックス１３の下面は開口されており、この開口を塞ぐようにカバー材１５が着脱可能に取付けられている。
【００１０】
前記シャッター枠１４は、例えばアルミニウム合金の押出形材からなる上枠１６、下枠１７および左右の縦枠１８，１８により四方枠状に組立てられ、両縦枠１８，１８の室外面にガイドレール２０が着脱可能に取付けられる。また、本実施の形態のシャッター１０は、サッシ５０の室外側に設けられるタイプであり、シャッター枠１４とサッシ枠５１が一体に形成されたタイプとされているが、シャッター枠１４の内側にサッシ枠５１を別体で設けるタイプとされていてもよい。
【００１１】
サッシ枠５１は、例えばアルミニウム合金の押出形材からなる上枠５３、下枠５４、および左右の縦枠６０、６０により四方枠状に組立てられている。サッシ枠５１内には、図３に示すように、障子５２ａ、５２ｂが引き違いに開閉可能に設けられている。図３はシャッター枠の横断面図、図４はその要部の拡大図である。
【００１２】
図３、図４に示すように、ガイドレール２０には、エンドスラット１１Ｂの両側端部およびシャッター板１２の両側端部を上下方向に案内するガイド溝２１が設けられている。ガイドレール２０は、例えばアルミニウム合金の押出形材からなり、断面略コ字状に形成されている。左右のガイドレール２０、２０は、ガイド溝２１の開口部分を対向させた姿勢で、シャッター枠１４の縦枠１８（本実施の形態の場合、シャッター枠１４とサッシ枠５１が一体であるため、サッシ枠５１の縦枠６０といってもよい。）の室外面に着脱可能に取付けられている。
【００１３】
ガイドレール２０は、室外側に位置する外面部２２と室内側に位置する内面部２３と、これら外面部２２と内面部２３を連結する端面部２４および内部の連結部２５とを備えている。ガイド溝２１は、外面部２２と内面部２３および連結部２５により区画形成され、端面部２４の反対側で開口している。端面部２４と連結部２５は間隔をおいて対向しており、外面部２２と内面部２３とこれら端面部２４および連結部２５とにより、強度を保つための閉じた矩形断面部２６が構成されている。
【００１４】
内面部２３の外面には、端面部２４に近い位置に取付フック（係合部）２７が設けられ、それより間隔をおいた位置に取付リブ２８が設けられている。前記取付フック２７は、内面部２３から突き出して端面部２４側にＬ字形に曲がっている。前記取付リブ２８は、内面部２３から垂直に突き出しており、ネジ貫通孔（孔部）２９を有している。このネジ貫通孔２９は、セルフタップでもよい。
【００１５】
ガイドレール２０のガイド溝２１内からシャッター板１２の側端部が引き抜けるのを防止する抜け止め手段として、ガイド溝２１の内面部２３には、ガイド溝２１内に垂直に突出する抜け止め壁部３０が設けられ、シャッター板１２のスラット１１の端部には、抜け止め壁部３０と係合可能な抜け止めフック１８が適宜設けられている。抜け止め壁部３０の先端には、ガイド溝２１の開口と反対方向に若干曲がった引掛部３０ａが形成されている。
【００１６】
一方、縦枠１８（６０）は、本実施の形態の場合、外面部６１と内面部６２を有する強度の高いホロー構造ないし二重構造６３とされているが、ソリッド構造であってもよい。縦枠１８（６０）の室外端には、ガイドレール取付壁部６４が設けられ、このガイドレール取付壁部６４には、室外側へ突出する互いに平行な２枚のリブ６５、６６が一体形成されている。
【００１７】
これらのリブ６５、６６のうち、外側のリブ６５は、縦枠１８（６０）の外壁部６１の延長上に位置している。また、内側のリブ６６は、縦枠１８（６０）の厚みの数倍の幅を有するガイドレール取付壁部６４の内側端部に位置している。外側のリブ６５の先端には、内側にＬ字形に曲がった取付フック（係合受部）６５ａが形成されている。また、内側にリブ６６には、リブ６６の厚み方向に貫通するネジ孔（孔部）６７が設けられている。
【００１８】
前記のガイドレール２０は、係合部である取付フック２７を係合受部である取付フック部６５ａに係合させると共に取付リブ２８，６６同士を接合具である第１取付ネジ７１で接合することにより、縦枠１８（６０）のガイドレール取付壁部６４に着脱可能に取付けられている。ガイドレール２０をサッシ縦枠６０に取付けるには、予めシャッター板１２の側端部をガイド溝２１に挿入し、シャッター板１２の側端部の抜け止めフック１８を、ガイド溝２１内の抜け止め壁３０と係合できる状態にして、ガイドレール２０の内面部２３の外面に設けた取付フック２７を、ガイドレール取付壁部６４の外側リブ６５の先端の取付フック６５ａに係合させる。
【００１９】
次に、ガイドレール２０の内面部２３の外面に突設した取付リブ２８を、縦枠１８（６０）のガイドレール取付壁部６４の内側リブ６６の内側面に重ね合わせて、その状態で、第１取付ネジ７１の先端を、取付リブ２８のネジ貫通孔２９に通し、ガイドレール取付壁部６４側の内側リブ６６のネジ孔６７に締め込む。これにより、サッシ縦枠６０にガイドレール２０が固定される。
【００２０】
このようにガイドレール２０を縦枠１８（６０）に組み付けた状態で、ガイドレール２０の取付フック２７が縦枠１８（６０）側の取付フック６５ａに係合し、且つ、ガイドレール２０側の取付リブ２８とサッシ縦枠６０側の内側リブ６６とが第１取付ネジ７１で結合されていることにより、ガイドレール２０は、室内側から室外側へ向かう方向（Ｘ方向）に脱落しないように強固に保持される。
【００２１】
しかし、台風等の強風（例えば風速６０ｍ以上）によりシャッター板１２が煽られ、シャッター板１２側の抜け止めフック１８がガイド溝２１内の抜け止め壁部３０に係合して、ガイドレール２０に開口内方向（Ｙ方向）の強い力やガイドレール２０のガイド溝側を室外方向（Ｘ方向）へ折り曲げ用とする強いモーメントが作用した場合、前記ガイドレール２０の取付構造だけでは、その強度を維持することが難しい。
【００２２】
そこで、前記ガイドレール２０には、前記縦枠１８（６０）に対する取付強度を補強するための補強部材８０が設けられている。この補強部材８０は、剛性を有する金属例えばアルミニウム合金により断面Ｌ字状に形成されており、互いに直交する第１壁部８１と第２壁部８２を有している。この補強部材８０は、第１壁部８１をガイドレール２０の端面部２４の外面から縦枠（１８）６０の外側リブ６５の外面にかけてあてがうと共に、第２壁部８２をガイドレール２０の室外面にあてがい、この第２壁部８２を、固着具である第２取付ネジ７２によりガイドレール２０の矩形断面部２６を構成する外面部２２に固定することにより、ガイドレール２０に取付けられる。補強部材８０には、その外側を覆う合成樹脂製のキャップ８５が取付けられる。
【００２３】
これにより、強風時にガイドレール２０に開口内方向（Ｙ方向）の強い力やガイドレール２０のガイド溝側を室外方向（Ｘ方向）へ折り曲げ用とする強いモーメントが作用したとしても、補強部材８０が縦枠１８（６０）に引っ掛かる形でガイドレール２０に固定されているので、補強部材８０を介してサッシ縦枠１８（６０）にその力が伝わり、そこで確実に受け止められる。
【００２４】
従って、ガイドレール２０が縦枠１８（６０）から外れたり、壊れるのを抑制ないし防止することができる。なお、補強部材８０は、図２に示すように、ガイドレール２０の長手方向の中間部に少なくとも１個だけ設ければよいが、長手方向に間隔をおいて複数個設けたり、長手方向の全長にわたる大きさに形成して設けてもよい。
【００２５】
図５は、本発明の第２の実施の形態を示している。この第２の実施の形態のシャッター２１０では、サッシ縦枠６０の構成は第１の実施の形態と同じであるが、ガイドレール２２０と補強部材２８０の構成が第１の実施の形態と異なっている。第１の実施の形態と異なる部分は異なる符号を付して説明し、同じ部分は同じ符号を付して説明を簡略化する。
【００２６】
ガイドレール２２０は、断面略Ｈ字状のアルミニウム合金の押出形材からなり、室外側の外面部２２２と室内側の内面部２２３と、これらを連結する連結板２２５とを備えている。ガイド溝２２１は、外面部２２２と内面部２２３の一端側間に確保されており、一端側で開口している。外面部２２２と内面部２２３の他端側の端部には、補強部材２８０を取付けるためのネジ止め部２２２ａと、受けフック２２３ａとが設けられている。
【００２７】
内面部２２３の外面には、受けフック２２３ａに近い位置に取付フック２７が設けられ、それより間隔をおいた位置に取付リブ２８が設けられている。取付フック２７と取付リブ２８の構成は、第１の実施の形態と全く同様である。また、ガイド溝２２１の内面には断面コ字状のインサート部材２３１が挿入されている。このインサート部材２３１は、連結部２２５に連結ネジ２３２で固定されると共に、内面部２２３にリベット２３３で固定されている。このインサート部材２３１の内面側には、ガイド溝２２１内に垂直に突き出した抜け止め壁部（抜け止め手段）２３０が設けられている。なお、抜け止め壁部２３０は図４のようにガイドレールの形材に形成されていてもよい。
【００２８】
前記のガイドレール２２０は、サッシ縦枠６０のガイドレール取付壁６４に取付けられている。ガイドレール２２０をサッシ縦枠６０に取付けるには、第１の実施の形態と全く同様に行う。従って、第１実施形態と同様に、Ｙ方向の外力等が作用したときに強度的に弱い。
【００２９】
そこで、この第２の実施の形態のシャッター２１０では、ガイドレール２２０の外面部２２２の他端側の外側角部に、断面略Ｌ字形の補強部材２８０を配置してネジ止めすることにより、ガイドレール２２０の取付を補強している。この補強部材２８０は、互いに直交する第１壁部２８１と第２壁部２８２を有し、第１壁部２８１をガイドレール２２０の内面部２２３の他端側の受けフック２２３ａの外側からサッシ縦枠６０の外側リブ６５の外面にかけてあてがう。このとき、第１壁部２８１の裏側にある係合フック２８１ａを、ガイドレール２２０側の他端側に設けた受けフック２２３ａに係合させる。それと共に、第２壁部２８２をガイドレール２２０の外面部２２２の他端側のネジ止め部２２２ａにあてがい、室外側に面する第２壁部２８２の上から、第２取付ネジ２７２をガイドレール２２０のネジ止め部２２２ａにねじ込むことにより、補強部材２８０を取付けて、ガイドレール２２０の取付を補強している。なお、２８５は第２取付ネジ２７２の頭部を覆うキャップである。
【００３０】
これにより、強風時にガイドレール２２０に対してＹ方向の力が加わっても、補強部材２８０がサッシ縦枠６０に引っ掛かる形でガイドレール２２０に固定されているので、補強部材２８０を介して縦枠１８（６０）にその力が伝わり、そこで確実に受け止められる。また、補強部材２８０の係合フック２８１ａが、イドレール２２０の受けフック２２３ａに係合していることにより、この部分でも大きな抵抗力を発揮することができる。従って、一層ガイドレール２２０の外れ防止効果を強化することができる。
【００３１】
図６は、本発明の第３の実施の形態を示している。この第３の実施の形態のシャッター３１０では、サッシ縦枠６０の構成は第１の実施の形態と同じであるが、ガイドレール３２０と補強部材３８０の構成が第１の実施の形態と異なっている。第１の実施の形態と異なる部分は異なる符号を付して説明し、同じ部分は同じ符号を付して説明を簡略化する。
【００３２】
ガイドレール３２０は、断面略コ字状のアルミニウム押し出し形材からなり、室外側に位置する外面部３２２と室内側に位置する内面部３２３と、端面部３２４および内部の連結板３２５とを備えている。ガイド溝３２１は、外面部３２２と内面部３２３間に確保されており、端面部３２４の反対側で開口している。端面部３２４と連結部３２５は間隔をおいて対向しており、外面部３２２と内面部３２３とこれら端面部３２４および連結板３２５とにより、強度を保つための閉じた矩形断面部３２６が構成されている。
【００３３】
また、内面部３２３の外面には、端面部３２４に近い位置に取付フック２７が設けられ、それより間隔をおいた位置に取付リブ２８が設けられている。取付フック２７と取付リブ２８の構成は、第１の実施の形態と全く同様である。また、ガイド溝３２１の内面には、第２の実施の形態と同様に、断面コ字状のインサート部材３３１が挿入されている。このインサート部材３３１は、後述する補強部材３８０を取付けるための第２取付ネジ３３２で連結部３２５に固定されている。また、内面部３２３にリベット３３３で固定されている。このインサート部材３３１の内面側には、ガイド溝３２１内に垂直に突き出した抜け止め壁（抜け止め手段）３３０が設けられている。なお、抜け止め壁部３３０は図４のようにガイドレールの形材に形成されていてもよい。
【００３４】
前記のガイドレール３２０は、サッシ縦枠６０のガイドレール取付壁部６４に取付けられている。ガイドレール３２０をサッシ縦枠６０に取付けるには、第１の実施の形態と全く同様に行う。従って、第１実施形態と同様に、Ｙ方向の外力等が作用したときに強度的に弱い。そこで、この第３の実施の形態のシャッター３１０では、ガイドレール３２０の矩形断面部３２６の外側角部に、断面Ｌ字形の補強部材３８０を配置してネジ止めすることにより、ガイドレール３２０の取付を補強している。
【００３５】
補強部材３８０は、互いに直交する第１壁部３８１と第２壁部３８２を有し、第１壁部３８１をガイドレール３２０の端面部３２４の外側からサッシ縦枠６０の外側リブ６５の外面にあてがうと共に、第２壁部３８２をガイドレール３２０の外面部３２２の外側にあてがい、第１壁部３８１の上から第２取付ネジ３７２を、ガイドレール３２０の矩形断面部３２６を構成する端面部３２４と連結部３２４とインサート部材３３１とを貫通して、インサート部材３３１の内面側に配したナット部材３３５にねじ込むことにより、補強部材３８０を取付けて、ガイドレール３２０の取付を補強している。
【００３６】
こうすることにより、強風時にガイドレール３２０に対してＹ方向等の強い外力が作用したとしても、補強部材３８０がサッシ縦枠６０に引っ掛かる形でガイドレール３２０に固定されているので、補強部材３８０を介してサッシ縦枠６０にその力が伝わり、そこで確実に受け止められる。従って、第１取付ネジ７１だけで過大な抜け力を支えるのではなく、第１取付ネジ７１と第２取付ネジ３７２とで分担して過大な外力を支えることができるので、ガイドレール３２０の外れを防止することができる。この場合、抜け力（外力）が直接加わるインサート部材３３１を、補強部材３８０を固定する第２取付ネジ３７２で直接保持しているので、抜け力を直接補強部材３８０を介してサッシ縦枠６０に伝えることができ、ガイドレール３２０に加わる力を減らすことができる。
【００３７】
以上、本発明の実施の形態を図面により詳述してきたが、本発明は前記実施の形態に限定されるものではなく、本発明の要旨を逸脱しない範囲での種々の設計変更等が可能である。例えば、前記サッシ５０は、引き違い式に限られず、片引き等であってもよい。補強部材８０、２８０、３８０とガイドレール２０、２２０、３２０の形状は、任意に変更することができる。また、前記実施の形態では、シャッターがサッシと組み合わされているが、サッシと組み合わせないシャッター単体であってもよい。この場合、シャッター枠は、少なくとも上枠と左右の縦枠からなっていてもよい。本発明のシャッターは、抜け止め手段を備えていなくてもよい。
【００３８】
【発明の効果】
以上要するに本発明のシャッターによれば、建物の開口に設けられシャッター板の両側端部を昇降可能に支持するガイドレールを縦枠に有するシャッター枠と、このシャッター枠の上部に設けられシャッター板を巻取り収納するシャッターボックスとを備え、前記ガイドレールは室外側に位置する外面部と室内に位置する内面部と、これら外面部と内面部を連結する端面部および内部の連結部とを備え、端面部の反対側でガイド溝として開口しており、前記縦枠は外面部と内面部と室外端にガイドレール取付壁部とガイドレール取付壁部より室外側に突出する互いに平行な外側リブと内側リブを備え、ガイドレールの内面部とシャッター枠のガイドレール取付壁部が前記外側リブと内側リブで着脱可能に取付けられ、前記ガイドレールには前記シャッター枠に対する取付強度を補強する補強部材が設けられ、この補強部材は直交する第１壁部と第２壁部とを有し、第１壁部をガイドレールの端面部の外面から縦枠の外側リブの外面にかけてあてがうと共に、第２壁部をガイドレールの外面部にあてがい、第１壁部はガイドレールの端面部に又は第２壁部はガイドレールの外面部に、固着具で固定しているため、シャッター枠に対するガイドレールの取付強度を簡単な構造で向上させることができ、台風等の強い風圧がシャッター板に作用して、ガイドレールに過大な外力が加わったとしても、ガイドレールをシャッター枠に確実に取付けておくことができ、耐風強度を十分に高めることができる。
【図面の簡単な説明】
【図１】本発明の第１の実施の形態を示すシャッターの概略斜視図である。
【図２】図１のシャッターにおけるシャッター枠の分解斜視図である。
【図３】図２のシャッター枠の横断面図である。
【図４】図３の要部拡大図である。
【図５】本発明の第２の実施の形態を示すシャッターの概略的横断面図である。
【図６】本発明の第３の実施の形態を示すシャッターの概略的横断面図である。
【符号の説明】
１２  シャッター板
１３  シャッターボックス
１４  シャッター枠
２０  ガイドレール
８０  補強部材
【図１】
0003685674.tif 000002
【図２】
0003685674.tif 000003
【図３】
0003685674.tif 000004
【図４】
0003685674.tif 000005
【図５】
0003685674.tif 000006
【図６】
0003685674.tif 000007